【事件の表示】
　特願２００２−　２６４８８「室内用物干し具等に於ける支持部材と吊掛棒の着脱機構」拒絶査定不服審判事件〔平成１５年　８月１２日出願公開、特開２００３−２２５４９８〕について、次のとおり審決する。
【結　論】
　本件審判の請求は、成り立たない。
【理　由】
１．手続の経緯
　本件に係る出願（以下、「本件出願」という。）は、平成１４年２月４日の特許出願であって、平成１７年１０月１７日付けで拒絶査定がなされ（発送日：同年１１月８日）、これに対し、同年１２月５日に拒絶査定不服審判の請求がなされ、平成２０年６月２３日付けで当審にて、特許法第３６条第４項、及び同法第２９条第２項に係る拒絶理由が通知され、同年７月３０日付けで意見書及び手続補正書が提出されたものである。
　
２．特許法第３６条第４項について
　審判請求人は、平成２０年７月３０日付け手続き補正により、特許請求の範囲の「吊掛具５、５’」を「吊掛棒５、５’」とし、「それぞれの吊掛棒５、５’を回転させることにより前記球形フック１４に設けられた係止突部１５，１５’を前記固定溝１９a、１９ｂに着脱可能となし」を「それぞれの吊掛棒５、５’を９０度回転させることにより前記球形フック１４に設けられた係止突部１５，１５’を前記固定部１９a、１９ｂに着脱可能となし」とし、「ベースプレート１９」を「ベースプレート２１」とする補正を行い、特許請求の範囲の補正に伴い、明細書中において、「固定溝１９ａ、１９ｂ」なる記載を「固定部１９a、１９ｂ」と、「ベースプレート１９」を「ベースプレート２１」と補正し、また、当該符号を記載した図面を含め全図を補正するものである。
　
　そこで、補正後の【図５】（Ｂ）について検討する。
　【図５】（Ｂ）において、係止突部１５、１５’は、球形フック１４の下部に存在する嵌合部１３の裏側に形成した固定部１９ａ、１９ｂに載置された状態とはなっていない。これは、発明の詳細な説明の段落【0020】の「図５の（Ａ）、（Ｂ）は支持部材４に吊掛棒５を着脱する操作を説明する側断面図であり、（Ａ）は図４のａ−ａ断面図を示し、（Ｂ）は図４のｂ−ｂ断面図を示している。」なる記載、及び、「（Ｂ）図の如く嵌合孔１２を挟んで設けられた固定部１９ａ、１９ｂに球形フック１４の係止突起１５、１５’が載置されて前記板バネ１７、１７’に係合して挟持された状態となり、支持部４と吊掛棒５の嵌合が図５（Ｂ）の如くなされている。」なる記載と矛盾するものである。
　したがって、補正後の【図５】（Ｂ）は、平成２０年６月２３日付け拒絶理由通知書で指摘した「２）ア．係止突部１５’の位置が、９０℃ずれている」点が依然として解消されていない。
　
　また、【図５】（Ｂ）において、球形フック１４の下部に存在する、嵌合部１３の裏側に形成した固定部１９ａ、１９ｂが、球形フック１４の下部に沿った位置に存在するため、球形フック１４を菱形の嵌合孔を通過させることができないため、矛盾した記載となっている。
　したがって、平成２０年６月２３日付け拒絶理由通知書で指摘した「２）イ．固定溝１９が、球形フック１４の下面を覆っているために、球形フックの取り付け、取り外しができない」点が依然として解消されていない。
　
　以上のとおりであるから、本件出願は、発明の詳細な説明の記載が当業者が実施をする程度に、明確かつ十分に記載されておらず、特許法第３６条第４項に規定する要件を満たしていない。
　
３．特許法第２９条第２項について
(1)本願発明　
　本願の請求項１に係る発明は、平成２０年７月３０日付け手続補正書により補正された明細書及び図面の記載からみて、その特許請求の範囲の請求項１に記載された次の事項により特定される次のとおりのものである（以下、「本願発明」という。）。
「天井又は壁面にビス等にてそれぞれ固着される一対の支持部材４、４’と、該支持部材４、４’に吊掛棒５、５’を着脱自在に嵌合、懸架する室内用物干し具に於いて、
　該支持部材４、４’にはそれぞれ菱形の嵌合孔１２及び固定部１９a、１９ｂが設けられており、
　該それぞれの支持部材４、４’に設けられたの菱形の嵌合孔１２に嵌合するように形成された吊掛棒５、５’の先端部には球形フック１４並びに該球形フック１４の外周部より外側に突出した一対の係止突部１５、１５’が設けられており、
　該吊掛棒５、５’はそれぞれ前記吊掛棒先端部の球形フック１４並びに係止突部１５、１５’が前記支持部材４、４’の嵌合部１３に設けられた菱形の嵌合孔１２に嵌合され、
　該それぞれの吊掛棒５、５’を９０度回転させることにより前記球形フック１４に設けられた係止突部１５，１５’を前記固定部１９a、１９ｂに着脱可能となし、
　前記構成にて天井より懸架された一対の吊掛棒５、５’間に物干し竿７を装架したり前記吊掛棒５、５’並びに物干し竿７を天井面等より取り外すこと、
　を特徴とする室内物干し具等に於ける支持部材と吊掛棒の着脱機構。」
　
(2)刊行物
(2-1)平成２０年６月２３日付け拒絶理由通知書に引用された実願平５−２９２６５号（実開平６−８１４９５号公報）のＣＤ−ＲＯＭ（以下、「刊行物１」という。）には、図面とともに次の事項が記載されている。
　
ア．「本考案は、主に、室内の天井に取り付けて、物干具や観葉植物や絵画等を吊り下げて使用する吊掛装置に関するものである。」（段落【0001】）
　
イ．「本考案は、上記課題を解決するために、引掛部を設けた棒状の吊掛具と、天井等に取り付けられて該吊掛具を支持することができる支持具とから成り、支持具には係合部を設けると共に、吊掛具の一端部には該係合部と係合する回動部を設け、吊掛具の回動部を支持具の係合部に係合させて回動することによって、吊掛具を支持具に着脱できるように成し、吊掛具の一端部近傍に弾性を有する可曲部を設けて成るものである。」（段落【0004】）
　
ウ．「まず、第１図〜第１１図に基づいて第一の実施例を説明する。支持具１は、基体２、抜止具５、ねじりコイルばね８及びカバー９から構成されている。
  基体２は、さらに上半体３と下半体４とから成っている。上半体３は、薄い略円柱形で中央に円形の収納凹部３ａを形成し、その底部には、中心に軸３ｂを突設し、周壁部にストッパー３ｃを突設してある。さらに、円形の収納凹部３ａから外れた位置に円柱状の突起３ｄを設けてある。下半体４は、略円板状で中央に円形の挿入孔４ａを設け、その周囲に楕円形の案内溝４ｂを設けてある。上半体３と下半体４は相対向する２ヶ所でビス１０・１０によって一体化される。
　抜止具５は、本体６と摺動体７とから成り、本体６は、略円柱状で、基体２の中で回動できるようになっており、一端面側には着脱凹部６ａが穿設され、他端面側には、軸３ｂと対応する位置に軸孔が設けられていると共に、外周に４分の１周に亘って切欠部６ｂが設けられ上半体３のストッパー３ｃと係合し抜止具５の回転を規制している。」（段落【0006】、【0007】）
　
エ．「本体６の一端面側には、着脱凹部６ａを挟んで両側に一段低くなった部分が形成され、そこに摺動体７・７が係合している。摺動体７は、中央側を円弧状に切り欠いて閉塞部７ａを形成し、反対側には下側に突出する突起７ｂを設けてあり、この突起７ｂは下半体４の案内溝４ｂに係合するようになっている。この摺動体７は、本体６と共に回動するが、摺動は可能で、突起７ｂと案内溝４ｂの係合により摺動され、閉塞部７ａが下半体４の挿入孔４ａの一部を閉塞するようになっている。」（段落【0009】）
　
オ．「吊掛具１１は、シャフト１１ｃの一端に略球形状の挿入部１１ａを設け、他端にリング状の引掛部１１ｂを設けてある。」（段落【0011】）
　
カ．「吊掛具１１の挿入部１１ａを基体２の下半体４の挿入孔４ａから抜止具５の本体６の着脱凹部６ａに挿入し、回動部１１ｄを係合部６ｃに係合し右に９０度回転させると、抜止具５の本体６の切欠部６ｂの一方の終端にストッパー３ｃが当接し、同時に、抜止具５の摺動体７・７も回転し、突起７ｂが案内溝４ｂに案内されて摺動体７・７は中央に向かって摺動し、その閉塞部７ａが挿入孔４ａの一部を閉塞する。閉塞された挿入孔４ａは挿入部１１ａの直径よりも小さくなり抜け止めされ、吊掛具１１は支持具１に支持される。」（段落【0013】）
　
キ．「そして、吊掛具１１が支持具１に支持された状態で、引掛部１１ｂに物干具や観葉植物や絵画等を吊り下げて使用したり、間隔を離して２つ取り付けて、引掛部１１ｂ・１１ｂに物干竿を掛け渡して使用するものである。」（段落【0013】）
　
　上記記載事項及び図面の記載内容からみて、刊行物１には、次の発明が記載されている。 
　
「天井に取り付けられた２つの支持具１と、支持具１に吊掛具１１を支持する室内物干具において、
　支持具１を構成する基体２の下半体に挿入穴４ａを形成し、支持具１を構成する抜止具５の摺動体７に閉塞部７ａを形成し、吊掛具１１の一端には略球形状の挿入部１１ａを設け、
　吊掛具１１は、挿入部１１ａを挿入孔４ａから抜止具５の本体６の着脱凹部６ａに挿入し、回動部１１ｄを係合部６ｃに係合し右に９０度回転させることにより、閉塞部７ａが挿入孔４ａの一部を閉塞し、挿入部１１ａを支持具１に支持させ、
　２つの吊掛具を天井に取り付けられた２つの支持具に支持させて、引掛部１１ｂ・１１ｂに物干竿を掛け渡すことを可能とした、
　室内物干具における支持具１と吊掛具１１との着脱機構。」
　
(2-2)同じく特開平１−９３８９６号公報（以下、「刊行物２」という。）には、図面とともに次の事項が記載されている。
　
ア．「第１図に示すように、煙センサが納装されているセンサユニットＡは天井等に固定されるベースＢにカバーＣとともに装着された形で使用される。
すなわち、第３図に示すように、ベースＢは天井等に取付ねじを用いて固定されるのであって、上下に貫通する一対の取付孔４３を有している。ベースＢの中央部にはセンサユニットＡの上端部が挿入可能な開口４１が形成されており、この開口４１の開口縁には一対の耳孔４１ａが形成されている。また開口４１の内周縁には周方向に走る嵌合溝４１ｂが形成されている。嵌合溝４１ｂの端部は耳孔４１ａにおいて開放されている。また、ベースＢ内にはセンサユニットＡに設けられた端子ピン１１ａに接続される電極（図示せず）が設けられている。しかるに、耳孔４１ａに取付片１１ｂを挿入してから嵌合溝４１ａに沿ってセンサユニットＡを回転させると、取付片１１ｂが嵌合溝４１ａに嵌合してセンサユニットＡをベースＢに取り付けることできるのである。」（第2ページ右上欄第19行〜同左下欄第17行）
　
イ．「イオン化式のセンサユニットＡは、第４図に示すように構成されている。すなわち、ケース１０は、上面が閉塞された有底円筒状のボデイ１１と、このボデイ１１の下面に被嵌される保護カバー１２とで筒状に形成される。さらに、保護カバー１２は、ボデイ１１に接着または熱着により結合される円筒状の防風カバー１３と、防風カバー１３の側周面を覆う防虫網１４と、防風カバー１３の下端面を閉塞するキャップ１５とで構成される。ボデイ１１、防風カバー１３、キャップ１５はともに合成樹脂成形品により形成されている。ボデイ１１には上端部の周部に一対の取付片１１ｂが延設されている。」（第2ページ右下欄第20行〜第3ページ左上欄第12行）
　
　上記記載事項及び図面の記載内容からみて、刊行物２には、次の発明が記載されている。
　
「ベースＢへのセンサユニットＡの着脱について、ボデイ１１の周部に一対の取付孔１１ｂを延設し、ボデイ１１と取付片１１ｂがベースＢの開口４１と開口縁に形成された一対の耳孔４１ａとに嵌合され、センサユニットＡを回転させることにより取付片１１ｂを嵌合溝４１ａに取り付け可能とした
　ベースＢとセンサユニットＡとの着脱機構。」
　
(3)対比
　本願発明と刊行物１に記載された発明とを対比する。
　刊行物１に記載された発明の「支持具１」は、本願発明の「支持部材」に相当し、同様に「吊掛具１１」は「吊掛棒」に、「室内物干具」は「室内用物干し具」に、「挿入穴４ａ」は「嵌合孔」に、それぞれ相当する。
　また、刊行物１に記載された発明の「吊掛具」は、支持具に「着脱可能」に支持されるものであり、又、支持具に支持させることにより、天井より懸架され、物干し竿を装架したり取り外すものである。
　
　したがって、刊行物１に記載された発明と本願発明との一致点及び相違点は、次のとおりである。　　　　　　　　　　　　　　　　　　 
　
［一致点］
「天井又は壁面にビス等にてそれぞれ固着される一対の支持部材と、該支持部材に吊掛棒を着脱自在に嵌合、懸架する室内用物干し具に於いて、
　支持部材にはそれぞれ嵌合孔が設けられており、
　それぞれの支持部材に設けられた嵌合孔に嵌合するように形成された吊掛棒の先端部には球形フックが設けられており、
　吊掛棒はそれぞれ吊掛棒先端部の球形フックが支持部材の嵌合孔に嵌合され、
　それぞれの吊掛棒を９０度回転させることにより支持部材に吊掛棒を着脱可能となし、
　天井より懸架された一対の吊掛棒間に物干し竿を装架したり前記吊掛棒並びに物干し竿を天井面等より取り外すこと、
　を特徴とする室内物干し具等に於ける支持部材と吊掛棒の着脱機構。」
　
［相違点］
　支持部材への吊掛棒の着脱について、本願発明では、吊掛棒の先端部には球形フック並びに球形フックの外周部より外側に突出した一対の係止突部が設けられ、球形フック並びに係止突部が支持部材の嵌合部に設けられた菱形の嵌合孔に嵌合され、吊掛棒を回転させることにより係止突部を固定部に着脱可能としているのに対して、刊行物１に記載された発明では、吊掛棒の先端部には球形フックが設けられ、球形フックが支持部材の嵌合孔に嵌合され、吊掛棒を回転させることにより球形フックを閉塞部に着脱可能としている点。
　
(4)当審の判断
　以下、上記相違点について検討する。
　本願発明と刊行物２に記載された発明とを対比する。
　刊行物２に記載された発明の「ベースＢ」は、本願発明の「支持部材」に相当し、同様に、「ボデイ１１」は「フック」に、「取付片１１ｂ」は「係止突部」に、「開口４１と開口縁に形成された一対の耳孔４１ａ」は「嵌合孔」に、「嵌合溝４１ａ」は「固定部」に、それぞれ相当する。
　また、刊行物２に記載された発明の「センサユニット」は支持部材に「着脱可能」となっていることは言うまでもない。
　したがって、刊行物２に記載された発明は、
「支持部材へのセンサユニットＡの着脱について、フックの外周部より外側に突出した一対の係止突部が設けられ、フック並びに係止突部が支持部材の嵌合孔に嵌合され、センサユニットＡを回転させることにより係止突部を支持部材の固定部に着脱可能とした支持部材とセンサユニットＡとの着脱機構。」と言い換えることができる。
　また、刊行物２に記載された発明の「センサユニットＡ」は、支持部材に着脱される被支持部材である。
　してみると、刊行物１に記載された発明と刊行物２に記載された発明とは、支持部材への被支持部材の着脱機構という同一の技術分野に属する発明であるから、刊行物２に記載された発明の着脱機構を、刊行物１に記載された発明に適用して本願発明に係る特定事項とすることは、当業者が容易に想到し得たものである。
　嵌合孔の形状が菱形である点について検討すると、本願明細書にはその形状を菱形とすることの意義について特に記載されていないことから、本願発明においては「嵌合孔」は、単に、係止突部が引っ掛からなければよい形状とした程度のものであり、嵌合孔の形状としてはいろいろな形状が考えられるから、刊行物２に記載された発明を刊行物１に記載された発明に適用するに際して、その形状を菱形とすることは、当業者が適宜決定し得た事項である。
　
　また、本願発明の奏する効果は、刊行物１、２に記載された発明から、当業者が予測できた範囲内のものである。
　
　したがって、本願発明は、刊行物１、２に記載された発明に基づいて当業者が容易に発明をすることができたものである。
　
(5)むすび
　以上のとおりであるから、本願の請求項１に係る発明は、刊行物１、２に記載された発明に基づいて当業者が容易に発明をすることができたものであり、特許法第２９条第２項の規定により特許を受けることができない。
　したがって、本願のその他の請求項に係る発明について検討するまでもなく、本願は拒絶すべきものである。
　
　よって、結論のとおり審決する。